【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
複数の電気接触部材を備える記録材消費装置に装着可能な記録材供給システムであって、
記録材を収容し、記録材供給ポートを備える記録材収容部と、
記憶装置と、
前記記憶装置に電気的に接続された複数の第１端子と、
前記記録材供給システムが前記記録材消費装置に装着されているか否かを検出するために使用する信号を受けるための２つの第２端子と、
を備え、
前記複数の第１端子は、前記記録材消費装置の接地電位とは異なる電源電位を受けるための電源端子を含み、
前記複数の第１端子および前記２つの第２端子のそれぞれは、前記記録材供給システムが前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は前記第１ラインに配置され、
前記電源端子の接触部は、前記第１ラインにおいて前記２つの第２端子のうち前記一方と他方の接触部の間に配置され、
前記記録材供給ポートは、開口を含み、
前記第１のラインは、前記複数のラインのうちで前記開口に最も近い、
記録材供給システム。
【請求項２】
請求項１記載の記録材供給システムであって、
前記２つの第２端子のうち一方の第２端子の接触部は、前記第１ラインの一端に配置され、前記２つの第２端子のうち他方の第２端子の接触部は前記第１ラインの他端に配置されている、記録材供給システム。
【請求項３】
請求項１又は２に記載の記録材供給システムであって、
前記記憶装置は、クロック信号に同期して、データ信号の外部回路への送信と外部からの受信との少なくとも一方を行うことが可能であり、
前記複数の第１端子は、前記データ信号の送信と受信との少なくとも一方を行うためのデータ端子と、前記クロック信号を受けるためのクロック端子と、接地電位を受けるための接地端子と、を含む、
記録材供給システム。
【請求項４】
請求項１〜３のいずれか一項に記載の記録材供給システムであって、
前記記憶装置は、前記接地電位とは異なるレベルのリセット信号を受けて動作し、
前記複数の第１端子は、前記リセット信号を受けるためのリセット端子を含み、
前記リセット端子は、前記第１ラインとは異なるラインに配置されている、
記録材供給システム。
【請求項５】
請求項１〜４のいずれか一項に記載の記録材供給システムであって、さらに、
側壁と、
前記側壁と交差する底壁と、を備え、
前記複数の端子は前記側壁に設けられ、
前記記録材供給ポートは前記底壁に設けられ、
前記記録材供給ポートは、前記底壁の前記側壁側に偏った位置に配置されており、
前記記録材消費装置に対する前記記録材供給システムの装着方向は、重力方向の下向きである、
記録材供給システム。
【請求項６】
請求項１〜５のいずれか一項に記載の記録材供給システムであって、
前記第１ラインの前記接触部の総数は、前記複数のラインのうちの他の任意の１つのラインの前記接触部の総数よりも、多い、
記録材供給システム。
【請求項７】
複数の電気接触部材を備える記録材消費装置に電気的に接続可能な回路基板であって、
基板と、
前記基板上に配置された複数の端子であって、記憶装置に電気的に接続可能な複数の第１端子と、
前記回路基板が前記記録材消費装置に装着されているか否かを検出するために使用する信号を受けるための２つの第２端子と、
を備え、
前記複数の第１端子は、前記記録材消費装置の接地電位とは異なる電源電位を受けるための電源端子を含み、
前記複数の第１端子および前記２つの第２端子のそれぞれは、前記回路基板が前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記第１ラインに配置され、
前記電源端子の接触部は、前記第１ラインにおいて前記２つの第２端子のうち前記一方と他方の接触部の間に配置され、
前記第１ラインは、前記回路基板が前記記録材消費装置に接続された状態で、前記複数のラインのうちで前記記録材消費装置の記録材供給針に最も近い、
回路基板。
【請求項８】
請求項７記載の回路基板であって、
前記２つの第２端子のうち一方の第２端子の接触部は前記第１ラインの一端に配置され、前記２つの第２端子のうち他方の第２端子の接触部は前記第１ラインの他端に配置されている、回路基板。
【請求項９】
請求項７又は８に記載の回路基板であって、
前記記憶装置は、クロック信号に同期して、データ信号の外部回路への送信と外部からの受信との少なくとも一方を行うことが可能であり、
前記複数の第１端子は、前記データ信号の送信と受信との少なくとも一方を行うためのデータ端子と、前記クロック信号を受けるためのクロック端子と、接地電位を受けるための接地端子と、を含む、
回路基板。
【請求項１０】
請求項７〜９のいずれか一項に記載の回路基板であって、
前記記憶装置は、前記接地電位とは異なるレベルのリセット信号を受けて動作し、
前記複数の第１端子は、前記リセット信号を受けるためのリセット端子を含み、
前記リセット端子は、前記第１ラインとは異なるラインに配置されている、
回路基板。
【請求項１１】
請求項７〜１０のいずれか一項に記載の回路基板であって、
前記第１ラインの前記接触部の総数は、前記複数のラインのうちの他の任意の１つのラインの前記接触部の総数よりも、多い、
回路基板。
【請求項１２】
複数の電気接触部材を備える記録材消費装置に装着可能な構造体であって、
本体と、
前記本体に設置された基板と、
を備え、
前記基板は、記憶装置に電気的に接続可能な複数の第１端子と、前記構造体が前記記録材消費装置に装着されているか否かを検出するために使用する信号を受けるための２つの第２端子と、を含み、
前記複数の第１端子は、前記記録材消費装置の接地電位とは異なる電源電位を受けるための電源端子を含み、
前記複数の第１端子および前記２つの第２端子のそれぞれは、前記構造体が前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記第１ラインに配置され、
前記電源端子の接触部は、前記第１ラインにおいて前記２つの第２端子のうち前記一方と他方の接触部の間に配置され、
前記第１ラインは、前記構造体が前記記録材消費装置に装着された状態で、前記複数のラインのうちで前記記録材供給針に最も近い、
構造体。
【請求項１３】
請求項１２記載の構造体であって、
前記２つの第２端子のうち一方の第２端子の接触部は前記第１ラインの一端に配置され、前記２つの第２端子のうち他方の第２端子の接触部は前記第１ラインの他端に配置されている、構造体。
【請求項１４】
請求項１２又は１３に記載の構造体であって、
前記記憶装置は、クロック信号に同期して、データ信号の外部回路への送信と外部からの受信との少なくとも一方を行うことが可能であり、
前記複数の第１端子は、前記データ信号の送信と受信との少なくとも一方を行うためのデータ端子と、前記クロック信号を受けるためのクロック端子と、接地電位を受けるための接地端子と、を含む、
構造体。
【請求項１５】
請求項１２〜１４のいずれか一項に記載の構造体であって、
前記記憶装置は、前記接地電位とは異なるレベルのリセット信号を受けて動作し、
前記複数の第１端子は、前記リセット信号を受けるためのリセット端子を含み、
前記リセット端子は、前記第１ラインとは異なるラインに配置されている、
構造体。
【請求項１６】
請求項１２〜１５のいずれか一項に記載の構造体であって、
前記第１ラインの前記接触部の総数は、前記複数のラインのうちの他の任意の１つのラインの前記接触部の総数よりも多い、
構造体。
【請求項１７】
複数の電気接触部材を備える印刷装置に装着可能なインクカートリッジであって、
インクを収容し、インク供給ポートを備えるインク収容部と、
記憶装置と、
前記記憶装置に電気的に接続可能な複数の第１端子と、
前記インクカートリッジが前記印刷装置に装着されているか否かを検出するために使用する信号を受けるための２つの第２端子と、
を備え、
前記複数の第１端子は、前記印刷装置の接地電位とは異なる電源電位を受けるための電源端子を含み、
前記複数の第１端子および前記２つの第２端子のそれぞれは、前記インクカートリッジが前記印刷装置に装着された状態で前記印刷装置の前記複数の電気接触部材のうちの対応する電気接触部材と接触可能な接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記複数のラインのうちの第１ラインに配置され、
前記電源端子の接触部は、前記第１ラインにおいて前記２つの第２端子のうち前記一方と他方の接触部の間に配置され、
前記インク供給ポートは開口を含み、
前記第１ラインは、前記複数のラインのうちで前記開口に最も近い、
インクカートリッジ。
【請求項１８】
請求項１７記載のインクカートリッジであって、
前記２つの第２端子のうち一方の第２端子の接触部は、前記第１ラインの一端に配置され、前記２つの第２端子のうち他方の第２端子の接触部は前記第１ラインの他端に配置されている、インクカートリッジ。
【請求項１９】
請求項１７又は１８に記載のインクカートリッジであって、
前記記憶装置は、クロック信号に同期して、データ信号の外部回路への送信と外部からの受信との少なくとも一方を行うことが可能であり、
前記複数の第１端子は、前記データ信号の送信と受信との少なくとも一方を行うためのデータ端子と、前記クロック信号を受けるためのクロック端子と、接地電位を受けるための接地端子と、を含む、
インクカートリッジ。
【請求項２０】
請求項１７〜１９のいずれか一項に記載のインクカートリッジであって、
前記記憶装置は、前記接地電位とは異なるレベルのリセット信号を受けて動作し、
前記複数の第１端子は、前記リセット信号を受けるためのリセット端子を含み、
前記リセット端子は、前記第１ラインとは異なるラインに配置されている、
インクカートリッジ。
【請求項２１】
請求項１７〜２０のいずれか一項に記載のインクカートリッジであって、さらに、
側壁と、
前記側壁と交差する底壁と、を備え、
前記複数の端子は前記側壁に設けられ、
前記インク供給ポートは前記底壁に設けられ、
前記インク供給ポートは、前記底壁の前記側壁側に偏った位置に配置されており、
前記印刷装置に対する前記インクカートリッジの装着方向は、重力方向の下向きである、
インクカートリッジ。
【請求項２２】
請求項１７〜２１のいずれか一項に記載のインクカートリッジであって、
前記第１ラインの前記接触部の総数は、前記複数のラインのうちの他の任意の１つのラインの前記接触部の総数よりも、多い、
インクカートリッジ。
【手続補正２】
【補正対象書類名】明細書
【補正対象項目名】０００７
【補正方法】変更
【補正の内容】
【０００７】
本発明は、上述の課題の少なくとも一部を解決するためになされたものであり、以下の形態又は適用例として実現することが可能である。
＜第１の形態＞
（１）本願発明の第１の形態は、複数の電気接触部材を備える記録材消費装置に装着可能な記録材供給システムであって、
記録材を収容し、記録材供給ポートを備える記録材収容部と、
記憶装置と、
前記記憶装置に電気的に接続された複数の第１端子と、
前記記録材供給システムが前記記録材消費装置に装着されているか否かを検出するために使用する信号を受けるための２つの第２端子と、
を備え、
前記複数の第１端子は、前記記録材消費装置の接地電位とは異なる電源電位を受けるための電源端子を含み、
前記複数の第１端子および前記２つの第２端子のそれぞれは、前記記録材供給システムが前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は前記第１ラインに配置され、
前記電源端子の接触部は、前記第１ラインにおいて前記２つの第２端子のうち前記一方と他方の接触部の間に配置され、
前記記録材供給ポートは、開口を含み、
前記第１のラインは、前記複数のラインのうちで前記開口に最も近い、記録材供給システムである。
この形態によれば、第１ラインに、装着検出に使用される第２端子のうち一方と他方の接触部が配置され、それらの間に電源端子の接触部が配置されるので、装着検出が確認された状態では電源端子の電気的接続も達成されている可能性が高い。この結果、電源端子の接続不良の可能性が低減されるので、端子を介する電気的接続を利用する場合の不具合の可能性を低減できる。また、電源端子に対応する電気接触部材が、第１ライン以外の意図しないラインの端子と接触することを防止できるので、端子を介する電気的接続を利用する場合の不具合の可能性を低減できる。
（２）上記記録材供給システムにおいて、
前記２つの第２端子のうち一方の第２端子の接触部は、前記第１ラインの一端に配置され、前記２つの第２端子のうち他方の第２端子の接触部は前記第１ラインの他端に配置されていてもよい。
この形態によれば、２つの第２端子の接触部が第１ラインの両端に配置されているので、記記録材消費装置への装着に関する誤検出の可能性を低減できる。
（３）上記記録材供給システムにおいて、
前記記憶装置は、クロック信号に同期して、データ信号の外部回路への送信と外部からの受信との少なくとも一方を行うことが可能であり、
前記複数の第１端子は、前記データ信号の送信と受信との少なくとも一方を行うためのデータ端子と、前記クロック信号を受けるためのクロック端子と、接地電位を受けるための接地端子と、を含んでいてもよい。
この形態によれば、データ端子等の接続不良の可能性が低減されるので、端子を介する電気的接続を利用する場合の不具合の可能性を低減できる。
（４）上記記録材供給システムにおいて、
前記記憶装置は、前記接地電位とは異なるレベルのリセット信号を受けて動作し、
前記複数の第１端子は、前記リセット信号を受けるためのリセット端子を含み、
前記リセット端子は、前記第１ラインとは異なるラインに配置されているものとしてもよい。
この形態によれば、記憶装置が誤って動作する可能性を低減できる。
（５）上記記録材供給システムは、さらに、
側壁と、
前記側壁と交差する底壁と、を備え、
前記複数の端子は前記側壁に設けられ、
前記記録材供給ポートは前記底壁に設けられ、
前記記録材供給ポートは、前記底壁の前記側壁側に偏った位置に配置されており、
前記記録材消費装置に対する前記記録材供給システムの装着方向は、重力方向の下向きであるものとしてもよい。
この形態によれば、複数の端子の接続不良の可能性が低減されるので、端子を介する電気的接続を利用する場合の不具合の可能性を低減できる。
（６）上記記録材供給システムにおいて、
前記第１ラインの前記接触部の総数は、前記複数のラインのうちの他の任意の１つのラインの前記接触部の総数よりも、多いものとしてもよい。
この形態によれば、記録材消費装置の電気接触部材が、意図しない端子と接触する可能性を低減できる。
＜第２の形態＞
本発明の第２の形態は、複数の電気接触部材を備える記録材消費装置に電気的に接続可能な回路基板であって、
基板と、
前記基板上に配置された複数の端子であって、記憶装置に電気的に接続可能な複数の第１端子と、
前記回路基板が前記記録材消費装置に装着されているか否かを検出するために使用する信号を受けるための２つの第２端子と、
を備え、
前記複数の第１端子は、前記記録材消費装置の接地電位とは異なる電源電位を受けるための電源端子を含み、
前記複数の第１端子および前記２つの第２端子のそれぞれは、前記回路基板が前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記第１ラインに配置され、
前記電源端子の接触部は、前記第１ラインにおいて前記２つの第２端子のうち前記一方と他方の接触部の間に配置され、
前記第１ラインは、前記回路基板が前記記録材消費装置に接続された状態で、前記複数のラインのうちで前記記録材消費装置の記録材供給針に最も近い、回路基板である。
＜第３の形態＞
本発明の第３の形態は、複数の電気接触部材を備える記録材消費装置に装着可能な構造体であって、
本体と、
前記本体に設置された基板と、
を備え、
前記基板は、記憶装置に電気的に接続可能な複数の第１端子と、前記構造体が前記記録材消費装置に装着されているか否かを検出するために使用する信号を受けるための２つの第２端子と、を含み、
前記複数の第１端子は、前記記録材消費装置の接地電位とは異なる電源電位を受けるための電源端子を含み、
前記複数の第１端子および前記２つの第２端子のそれぞれは、前記構造体が前記記録材消費装置に装着された状態で前記記録材消費装置の前記複数の電気接触部材のうちの対応する電気接触部材と接触する接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記第１ラインに配置され、
前記電源端子の接触部は、前記第１ラインにおいて前記２つの第２端子のうち前記一方と他方の接触部の間に配置され、
前記第１ラインは、前記構造体が前記記録材消費装置に装着された状態で、前記複数のラインのうちで前記記録材供給針に最も近い、構造体である。
＜第４の形態＞
本発明の第４の形態は、複数の電気接触部材を備える印刷装置に装着可能なインクカートリッジであって、
インクを収容し、インク供給ポートを備えるインク収容部と、
記憶装置と、
前記記憶装置に電気的に接続可能な複数の第１端子と、
前記インクカートリッジが前記印刷装置に装着されているか否かを検出するために使用する信号を受けるための２つの第２端子と、
を備え、
前記複数の第１端子は、前記印刷装置の接地電位とは異なる電源電位を受けるための電源端子を含み、
前記複数の第１端子および前記２つの第２端子のそれぞれは、前記インクカートリッジが前記印刷装置に装着された状態で前記印刷装置の前記複数の電気接触部材のうちの対応する電気接触部材と接触可能な接触部を含み、
前記複数の第１端子および前記２つの第２端子の接触部は、複数のラインを形成するように配置され、
前記複数のラインは第１ラインを含み、
前記２つの第２端子のうち一方と他方の接触部は、前記複数のラインのうちの第１ラインに配置され、
前記電源端子の接触部は、前記第１ラインにおいて前記２つの第２端子のうち前記一方と他方の接触部の間に配置され、
前記インク供給ポートは開口を含み、
前記第１ラインは、前記複数のラインのうちで前記開口に最も近い、インクカートリッジである。